(57)【特許請求の範囲】
【請求項１】
入力データをマルチキャリア変調方式により変調したマルチキャリア信号を用いて搬送されるデータの送受信を行う通信装置であって、
前記入力データおよび前記入力データに後続する入力データがシリアル／パラレル変換された変換データを、後述するＩＦＦＴポイント数制御部により決定されたＩＦＦＴポイント数に従って保持するデータ保持部と、
前記データ保持部により保持されている変換データを、後述するＩＦＦＴポイント数制御部により決定されたＩＦＦＴポイント数に従ってＩＦＦＴ処理してマルチキャリア信号を生成するＩＦＦＴ処理部と、
後述するＩＦＦＴポイント数制御部により決定されたＩＦＦＴポイント数が複数のＩＦＦＴポイント数のうちの設定可能な最小値でない場合に、前記生成されたマルチキャリア信号のＰＡＰＲ値を測定するＰＡＰＲ測定部と、
後述するＩＦＦＴポイント数制御部により決定されたＩＦＦＴポイント数が前記最小値でない場合に、前記測定されたＰＡＰＲ値が所定の閾値を超えているか否かを判定する閾値判定部と、
後述するＩＦＦＴポイント数制御部により決定されたＩＦＦＴポイント数が前記最小値である場合、もしくは、前記ＰＡＰＲ値が所定の閾値を超えていないものと判定された場合には、前記生成されたマルチキャリア信号をパラレル／シリアル変換した変換データを送信データとして送信する送信処理部と、
入力データに対する送信処理開始時には、前記複数のＩＦＦＴポイント数のうちの設定可能な最大値をＩＦＦＴポイント数として決定し、前記閾値判定部によりＰＡＰＲ値が所定の閾値を超えているものと判定された以降の送信処理時には、当該ＰＡＰＲ値が所定の閾値を超えなくなるＩＦＦＴポイント数を、前記複数のＩＦＦＴポイント数の中から決定するとともに、当該決定したＩＦＦＴポイント数を、前記データ保持部、前記ＩＦＦＴ処理部、前記ＰＡＰＲ測定部、前記閾値判定部に通知するＩＦＦＴポイント数制御部と、
他の通信装置からの受信データがシリアル／パラレル変換された変換データをＦＦＴ処理してマルチキャリア信号を復調するＦＦＴ処理部と、
前記復調されたマルチキャリア信号を解析して得られるマルチキャリア信号の電力値から、当該マルチキャリア信号内の有効なサブキャリア数を判定する有効キャリア数判定部と、
前記判定された有効なサブキャリア数分だけ、前記復調されたマルチキャリア信号を処理する受信データ処理部と、
を有することを特徴とする通信装置。
【請求項２】
前記データ保持部は、前記送信処理部により送信処理が行われた場合に、前記ＩＦＦＴポイント数制御部により決定されたＩＦＦＴポイント数に従って保持する当該の送信データを開放する
ことを特徴とする請求項１に記載の通信装置。
【請求項３】
前記ＰＡＰＲ測定部は、前記ＩＦＦＴポイント数制御部により決定されたＩＦＦＴポイント数が複数のＩＦＦＴポイント数のうち設定可能な最小値である場合には、前記ＩＦＦＴ処理部により生成されたマルチキャリア信号を前記閾値判定部にそのまま出力する
ことを特徴とする請求項１に記載の通信装置。
【請求項４】
前記閾値判定部は、前記ＰＡＰＲ値測定部から入力したＰＡＰＲ値が所定の閾値を超えているものと判定した場合には、前記生成されたマルチキャリア信号を前記送信処理部に送出することなく破棄し、前記ＩＦＦＴポイント数制御部により決定されたＩＦＦＴポイント数が設定可能な最小値である場合もしくは前記ＰＡＰＲ値が閾値を超えていないものと判定した場合には、前記生成されたマルチキャリア信号を前記送信処理部にそのまま出力する
ことを特徴とする請求項１に記載の通信装置。
【請求項５】
入力データをマルチキャリア変調方式により変調したマルチキャリア信号を用いて搬送されるデータの送信を行う送信機であって、
前記入力データおよび前記入力データに後続する入力データがシリアル／パラレル変換された変換データを、後述するＩＦＦＴポイント数制御部により決定されたＩＦＦＴポイント数に従って保持するデータ保持部と、
前記データ保持部により保持されている変換データを、後述するＩＦＦＴポイント数制御部により決定されたＩＦＦＴポイント数に従ってＩＦＦＴ処理してマルチキャリア信号を生成するＩＦＦＴ処理部と、
後述するＩＦＦＴポイント数制御部により決定されたＩＦＦＴポイント数が複数のＩＦＦＴポイント数のうち設定可能な最小値でない場合に、前記生成されたマルチキャリア信号のＰＡＰＲ値を測定するＰＡＰＲ測定部と、
後述するＩＦＦＴポイント数制御部により決定されたＩＦＦＴポイント数が複数のＩＦＴポイント数のうち設定可能な最小値でない場合に、前記測定されたＰＡＰＲ値が所定
の閾値を超えているか否かを判定する閾値判定部と、
前記ＰＡＰＲ値が所定の閾値を超えていないものと判定された場合には、前記生成され
たマルチキャリア信号をパラレル／シリアル変換した変換データを送信データとして送信
する送信処理部と、
入力データに対する送信処理開始時には、複数のＩＦＦＴポイント数のうち設定可能な
最大値をＩＦＦＴポイント数として決定し、前記閾値判定部によりＰＡＰＲ値が所定の閾
値を超えているものと判定された以降の送信処理時には、当該ＰＡＰＲ値が所定の閾値を
超えなくなるＩＦＦＴポイント数を、前記複数のＩＦＦＴポイント数の中から決定すると
ともに、当該決定したＩＦＦＴポイント数を、前記データ保持部、前記ＩＦＦＴ処理部、
前記ＰＡＰＲ測定部、前記閾値判定部に通知するＩＦＦＴポイント数制御部と、
を有することを特徴とする送信機。
【請求項６】
入力データをマルチキャリア変調方式により変調したマルチキャリア信号を用いて搬送
されるデータの受信を行う受信機であって、
前記入力データおよび前記入力データに後続する入力データがシリアル／パラレル変換された変換データを、後述するＩＦＦＴポイント数制御部により決定されたＩＦＦＴポイント数に従って保持するデータ保持部と、前記データ保持部により保持されている変換データを、後述するＩＦＦＴポイント数制御部により決定されたＩＦＦＴポイント数に従ってＩＦＦＴ処理してマルチキャリア信号を生成するＩＦＦＴ処理部と、後述するＩＦＦＴポイント数制御部により決定されたＩＦＦＴポイント数が複数のＩＦＦＴポイント数のうちの設定可能な最小値でない場合に、前記生成されたマルチキャリア信号のＰＡＰＲ値を測定するＰＡＰＲ測定部と、後述するＩＦＦＴポイント数制御部により決定されたＩＦＦＴポイント数が前記最小値でない場合に、前記測定されたＰＡＰＲ値が所定の閾値を超えているか否かを判定する閾値判定部と、後述するＩＦＦＴポイント数制御部により決定されたＩＦＦＴポイント数が前記最小値である場合、もしくは、前記ＰＡＰＲ値が所定の閾値を超えていないものと判定された場合には、前記生成されたマルチキャリア信号をパラレル／シリアル変換した変換データを送信データとして送信する送信処理部と、入力データに対する送信処理開始時には、前記複数のＩＦＦＴポイント数のうちの設定可能な最大値をＩＦＦＴポイント数として決定し、前記閾値判定部によりＰＡＰＲ値が所定の閾値を超えているものと判定された以降の送信処理時には、当該ＰＡＰＲ値が所定の閾値を超えなくなるＩＦＦＴポイント数を、前記複数のＩＦＦＴポイント数の中から決定するとともに、当該決定したＩＦＦＴポイント数を、前記データ保持部、前記ＩＦＦＴ処理部、前記ＰＡＰＲ測定部、前記閾値判定部に通知するＩＦＦＴポイント数制御部とを有する他の通信装置から、前記ＩＦＦＴポイント数制御部により決定された前記最小値もしくは前記ＰＡＰＲ値が所定の閾値を超えていないものと判定されたＩＦＦＴポイント数に従って前記生成されたマルチキャリア信号が前記送信処理部によりパラレル／シリアル変換されて送信されたデータを受信した受信データがシリアル／パラレル変換された変換データをＦＦＴ処理してマルチキャリア信号を復調するＦＦＴ処理部と、
前記復調されたマルチキャリア信号を解析して得られるマルチキャリア信号の電力値で所定電力値を除算した値から、当該マルチキャリア信号内の有効なサブキャリア数であって、前記ＩＦＦＴポイント数制御部により決定された前記ＩＦＦＴポイント数に等しいＦＦＴポイント数を判定する有効キャリア数判定部と、
前記判定されたＦＦＴポイント数分だけ、前記復調されたマルチキャリア信号を処理する受信データ処理部と、
を有することを特徴とする受信機。
【請求項７】
入力データをマルチキャリア変調方式により変調したマルチキャリア信号を用いて搬送されるデータの送信を行う通信方法であって、
前記入力データに対する送信処理開始時に、複数のＩＦＦＴポイント数のうちの設定可能な最大値をＩＦＦＴポイント数として決定するとともに、当該決定したＩＦＦＴポイント数を、後述のデータ保持ステップ、後述のＩＦＦＴ処理ステップ、後述のＰＡＰＲ測定ステップ、後述の閾値判定ステップに通知するＩＦＦＴポイント数制御ステップと、
前記入力データおよび前記入力データに後続する入力データがシリアル／パラレル変換された変換データを、前記ＩＦＦＴポイント数制御ステップにより決定されたＩＦＦＴポイント数に従って保持するデータ保持ステップと、
前記データ保持ステップにより保持されている変換データを、前記ＩＦＦＴポイント数制御ステップにより決定されたＩＦＦＴポイント数に従ってＩＦＦＴ処理してマルチキャリア信号を生成するＩＦＦＴ処理ステップと、
前記ＩＦＦＴポイント数制御ステップにより決定されたＩＦＦＴポイント数が前記複数のＩＦＦＴポイント数のうちの設定可能な最小値でない場合に、前記生成されたマルチキャリア信号のＰＡＰＲ値を測定するＰＡＰＲ測定ステップと、
前記ＩＦＦＴポイント数制御ステップにより決定されたＩＦＦＴポイント数が前記最小値でない場合に、前記測定されたＰＡＰＲ値が所定の閾値を超えているか否かを判定する閾値判定ステップと、
前記ＩＦＦＴポイント数制御ステップにより決定されたＩＦＦＴポイント数が前記最小値である場合、もしくは、前記ＰＡＰＲ値が所定の閾値を超えていないものと判定された場合には、前記生成されたマルチキャリア信号をパラレル／シリアル変換した変換データを送信データとして送信する送信処理ステップと、
前記閾値判定ステップによりＰＡＰＲ値が所定の閾値を超えているものと判定された以降の送信処理時には、当該ＰＡＰＲ値が所定の閾値を超えなくなるＩＦＦＴポイント数を、前記複数のＩＦＦＴポイント数の中から決定するとともに、当該決定したＩＦＦＴポイント数を、前記データ保持ステップ、前記ＩＦＦＴ処理ステップ、前記ＰＡＰＲ測定ステップ、前記閾値判定ステップに通知するＩＦＦＴポイント数制御ステップと、
を含み、
前記閾値判定ステップによりＰＡＰＲ値が所定の閾値を超えているものと判定された以降の送信処理時には、前記閾値判定ステップにより前記ＰＡＰＲ値が所定の閾値を超えないと判定されるＩＦＦＴポイント数が前記ＩＦＦＴポイント数制御ステップにより決定されるまで、もしくは、前記ＩＦＦＴポイント数制御ステップにより前記最小値がＩＦＦＴポイント数として決定されるまで、前記ＩＦＦＴポイント数制御ステップ、前記データ保持ステップ、前記ＩＦＦＴ処理ステップ、前記ＰＡＰＲ測定ステップ、前記閾値判定ステップの一連のステップをこの順序で繰り返した後、前記送信処理ステップをおこなう
ことを特徴とする通信方法。
【請求項８】
入力データをマルチキャリア変調方式により変調したマルチキャリア信号を用いて搬送されるデータの受信を行う通信方法であって、
前記入力データおよび前記入力データに後続する入力データがシリアル／パラレル変換された変換データを、後述するＩＦＦＴポイント数制御部により決定されたＩＦＦＴポイント数に従って保持するデータ保持部と、前記データ保持部により保持されている変換データを、後述するＩＦＦＴポイント数制御部により決定されたＩＦＦＴポイント数に従ってＩＦＦＴ処理してマルチキャリア信号を生成するＩＦＦＴ処理部と、後述するＩＦＦＴポイント数制御部により決定されたＩＦＦＴポイント数が複数のＩＦＦＴポイント数のうちの設定可能な最小値でない場合に、前記生成されたマルチキャリア信号のＰＡＰＲ値を測定するＰＡＰＲ測定部と、後述するＩＦＦＴポイント数制御部により決定されたＩＦＦＴポイント数が前記最小値でない場合に、前記測定されたＰＡＰＲ値が所定の閾値を超えているか否かを判定する閾値判定部と、後述するＩＦＦＴポイント数制御部により決定されたＩＦＦＴポイント数が前記最小値である場合、もしくは、前記ＰＡＰＲ値が所定の閾値を超えていないものと判定された場合には、前記生成されたマルチキャリア信号をパラレル／シリアル変換した変換データを送信データとして送信する送信処理部と、入力データに対する送信処理開始時には、前記複数のＩＦＦＴポイント数のうちの設定可能な最大値をＩＦＦＴポイント数として決定し、前記閾値判定部によりＰＡＰＲ値が所定の閾値を超えているものと判定された以降の送信処理時には、当該ＰＡＰＲ値が所定の閾値を超えなくなるＩＦＦＴポイント数を、前記複数のＩＦＦＴポイント数の中から決定するとともに、当該決定したＩＦＦＴポイント数を、前記データ保持部、前記ＩＦＦＴ処理部、前記ＰＡＰＲ測定部、前記閾値判定部に通知するＩＦＦＴポイント数制御部とを有する他の通信装置から、前記ＩＦＦＴポイント数制御部により決定された前記最小値もしくは前記ＰＡＰＲ値が所定の閾値を超えていないものと判定されたＩＦＦＴポイント数に従って前記生成されたマルチキャリア信号が前記送信処理部によりパラレル／シリアル変換されて送信されたデータを受信した受信データがシリアル／パラレル変換された変換データをＦＦＴ処理してマルチキャリア信号を復調するＦＦＴ処理ステップと、
前記復調されたマルチキャリア信号を解析して得られるマルチキャリア信号の電力値で所定電力値を除算した値から、当該マルチキャリア信号内の有効なサブキャリア数であって、前記ＩＦＦＴポイント数制御部により決定された前記ＩＦＦＴポイント数に等しいＦＦＴポイント数を判定する有効キャリア数判定ステップと、
前記判定されたＦＦＴポイント数分だけ、前記復調されたマルチキャリア信号を処理する受信データ処理ステップと、
を含んだことを特徴とする通信方法。
【請求項９】
入力データをマルチキャリア変調方式により変調したマルチキャリア信号を用いて搬送されるデータの送受信をコンピュータに実行させる通信プログラムであって、
前記入力データおよび前記入力データに後続する入力データがシリアル／パラレル変換された変換データを、後述するＩＦＦＴポイント数制御手順により決定されたＩＦＦＴポ
イント数に従って保持するデータ保持手順と、
前記データ保持手順により保持されている変換データを、後述するＩＦＦＴポイント数制御手順により決定されたＩＦＦＴポイント数に従ってＩＦＦＴ処理してマルチキャリア信号を生成するＩＦＦＴ処理手順と、
後述するＩＦＦＴポイント数制御手順により決定されたＩＦＦＴポイント数が複数のＩＦＦＴポイント数のうちの設定可能な最小値でない場合に、前記生成されたマルチキャリア信号のＰＡＰＲ値を測定するＰＡＰＲ測定手順と、
後述するＩＦＦＴポイント数制御手順により決定されたＩＦＦＴポイント数が前記最小値でない場合に、前記測定されたＰＡＰＲ値が所定の閾値を超えているか否かを判定する閾値判定手順と、
後述するＩＦＦＴポイント数制御手順により決定されたＩＦＦＴポイント数が前記最小値である場合、もしくは、前記ＰＡＰＲ値が所定の閾値を超えていないものと判定された場合には、前記生成されたマルチキャリア信号をパラレル／シリアル変換した変換データを送信データとして送信する送信処理手順と、
入力データに対する最初の送信処理時には、前記複数のＩＦＦＴポイント数のうちの設定可能な最大値をＩＦＦＴポイント数として決定し、前記閾値判定手順によりＰＡＰＲ値が所定の閾値を超えているものと判定された以降の送信処理時には、当該ＰＡＰＲ値が所定の閾値を超えなくなるＩＦＦＴポイント数を、前記複数のＩＦＦＴポイント数の中から決定するとともに、当該決定したＩＦＦＴポイント数を、前記データ保持手順、前記ＩＦＦＴ処理手順、前記ＰＡＰＲ測定手順、前記閾値判定手順に通知するＩＦＦＴポイント数制御手順と、
他の通信装置からの受信データがシリアル／パラレル変換された変換データをＦＦＴ処理してマルチキャリア信号を復調するＦＦＴ処理手順と、
前記復調されたマルチキャリア信号を解析して得られるマルチキャリア信号の電力値から、当該マルチキャリア信号内の有効なサブキャリア数を判定する有効キャリア数判定手順と、
前記判定された有効なサブキャリア数分だけ、前記復調されたマルチキャリア信号を処理する受信データ処理手順と、
をコンピュータに実行させることを特徴とする通信プログラム。
【発明の詳細な説明】
【技術分野】
【０００１】
この発明は、入力データをマルチキャリア変調方式により変調したマルチキャリア信号を用いて搬送されるデータの送受信を行う通信装置、当該通信装置の送信機能に対応する送信機、当該通信装置の受信機能に対応する受信機および当該通信装置により実現される通信方法、および当該通信方法に対応する通信プログラムに関する。
【背景技術】
【０００２】
近年、携帯電話やＰＨＳ、ＰＤＡなどの移動体通信装置の分野において、音声データや動画などの様々なメディアデータを高速に伝送することを目的としたマルチキャリア伝送方式が採用されている。このマルチキャリア伝送方式の中でも、特に、周波数利用効率の高いＯＦＤＭ（Orthogonal Frequency Division Multiplexing：直交周波数分割多重）方式がメディアデータの高速伝送を実現する技術として注目を集めている。
【０００３】
このＯＦＤＭ方式の電力スペクトルは、例えば、図１３に示すように、一定の周波数間隔で並列に配置された複数の信号（サブキャリア：データを送るための搬送波）により構成される。そして、ＯＦＤＭ方式は、電力スペクトルを構成する信号の数を増やすことにより、メディアデータの伝送速度を向上させることができる。
【０００４】
一方で、ＯＦＤＭ方式では、ＰＡＰＲ（Peak to Average Power Ratio：ピーク対平均電力比）が高くなって増幅器の効率および通信品質の低下に繋がることから、これに対処するため、例えば、ピーククリッピングによりピークを飽和させる技術（特許文献１参照）や、サブキャリアへのデータマッピングを変更する技術（特許文献２参照）、位相回転を与える技術（特許文献３参照）などが提案されている。
【０００５】
【特許文献１】特開２００２−４４０５４号公報
【特許文献２】特開２００７−２０１８５４号公報
【特許文献３】特表２００５−５５４７９号公報
【発明の開示】
【発明が解決しようとする課題】
【０００６】
しかしながら、上記した各特許文献に開示の技術は、いずれも処理が複雑であり、回路規模が大きくなってしまうという問題点があった。
【０００７】
そこで、開示の装置は、上述した従来技術の課題を解決するためになされたものであり、回路規模を大きくすることなくＰＡＰＲを簡易に抑圧することができ、通信品質を保つことが可能な通信装置、送信機、受信機、通信方法および通信プログラムを提供することを目的とする。
【課題を解決するための手段】
【０００８】
上述した課題を解決し、目的を達成するため、開示の装置は、入力データをマルチキャリア変調方式により変調したマルチキャリア信号を用いて搬送されるデータの送受信を行う通信装置であって、前記入力データがシリアル／パラレル変換された変換データを、後述するＩＦＦＴポイント数制御部により決定された最大のＩＦＦＴポイント数に合わせて保持した後、後述するＩＦＦＴポイント数制御部によりＩＦＦＴポイント数が改めて決定された場合には、当該ＩＦＦＴポイント数に合わせて変換データを保持するデータ保持部と、前記データ保持部により保持されている変換データを、後述するＩＦＦＴポイント数制御部により決定された最大のＩＦＦＴポイント数に従ってＩＦＦＴ処理してマルチキャリア信号を生成した後、後述するＩＦＦＴポイント数制御部によりＩＦＦＴポイント数が改めて決定された場合には、当該ＩＦＦＴポイント数に従ってＩＦＦＴ処理してマルチキャリア信号を生成するＩＦＦＴ処理部と、前記ＩＦＦＴ処理部によりマルチキャリア信号が生成されるごとに、当該マルチキャリア信号のＰＡＰＲ値を測定するＰＡＰＲ測定部と、前記ＰＡＰＲ測定部によりＰＡＰＲ値が測定されるごとに、当該ＰＡＰＲ値が所定の閾値を超えているか否かを判定する閾値判定部と、前記閾値判定部によりＰＡＰＲ値が所定の閾値を超えていないものと判定された場合には、マルチキャリア信号をパラレル／シリアル変換した変換データを送信データとして無線区間に送信して送信処理を終了する送信処理部と、入力データに対する最初の送信処理時には、事前に記憶された設定可能な最大のＩＦＦＴポイント数をＩＦＦＴポイント数として決定し、前記閾値判定部によりＰＡＰＲ値が所定の閾値を超えているものと判定された以降の送信処理時には、当該ＰＡＰＲ値が所定の閾値を超えなくなるＩＦＦＴポイント数を、事前に記憶された設定可能なＩＦＦＴポイント数の中から改めて決定するＩＦＦＴポイント数制御部と、他の通信装置からの受信データがシリアル／パラレル変換された変換データをＦＦＴ処理してマルチキャリア信号を復調するＦＦＴ処理部と、前記ＦＦＴ処理部により復調されたマルチキャリア信号を解析して得られるマルチキャリア信号の電力値から、当該マルチキャリア信号内の有効なサブキャリア数を判定する有効キャリア数判定部と、前記有効キャリア数判定部により判定された有効サブキャリア数分だけ、前記マルチキャリア信号を処理して受信処理を終了する受信データ処理部と、を有する。
【０００９】
また、開示の送信機は、入力データをマルチキャリア変調方式により変調したマルチキャリア信号を用いて搬送されるデータの送信を行う送信機であって、前記入力データがシリアル／パラレル変換された変換データを、後述するＩＦＦＴポイント数制御部により決定された最大のＩＦＦＴポイント数に合わせて保持した後、後述するＩＦＦＴポイント数制御部によりＩＦＦＴポイント数が改めて決定された場合には、当該ＩＦＦＴポイント数に合わせて変換データを保持するデータ保持部と、前記データ保持部により保持されている変換データを、後述するＩＦＦＴポイント数制御部により決定された最大のＩＦＦＴポイント数に従ってＩＦＦＴ処理してマルチキャリア信号を生成した後、後述するＩＦＦＴポイント数制御部によりＩＦＦＴポイント数が改めて決定された場合には、当該ＩＦＦＴポイント数に従ってＩＦＦＴ処理してマルチキャリア信号を生成するＩＦＦＴ処理部と、前記ＩＦＦＴ処理部によりマルチキャリア信号が生成されるごとに、当該マルチキャリア信号のＰＡＰＲ値を測定するＰＡＰＲ測定部と、前記ＰＡＰＲ測定部によりＰＡＰＲ値が測定されるごとに、当該ＰＡＰＲ値が所定の閾値を超えているか否かを判定する閾値判定部と、前記閾値判定部によりＰＡＰＲ値が所定の閾値を超えていないものと判定された場合には、マルチキャリア信号をパラレル／シリアル変換した変換データを送信データとして無線区間に送信して送信処理を終了する送信処理部と、入力データに対する最初の送信処理時には、事前に記憶された設定可能な最大のＩＦＦＴポイント数をＩＦＦＴポイント数として決定し、前記閾値判定部によりＰＡＰＲ値が所定の閾値を超えているものと判定された以降の送信処理時には、当該ＰＡＰＲ値が所定の閾値を超えなくなるＩＦＦＴポイント数を、事前に記憶された設定可能なＩＦＦＴポイント数の中から改めて決定するＩＦＦＴポイント数制御部と、を有する。
【００１０】
また、開示の受信機は、入力データをマルチキャリア変調方式により変調したマルチキャリア信号を用いて搬送されるデータの受信を行う受信機であって、他の通信装置からの受信データがシリアル／パラレル変換された変換データをＦＦＴ処理してマルチキャリア信号を復調するＦＦＴ処理部と、前記ＦＦＴ処理部により復調されたマルチキャリア信号を解析して得られるマルチキャリア信号の電力値から、マルチキャリア信号内の有効なサブキャリア数を判定する有効キャリア数判定部と、前記有効キャリア数判定部により判定された有効サブキャリア数分だけ、マルチキャリア信号を処理して受信処理を終了する受信データ処理部と、を有する。
【００１１】
また、開示の方法は、入力データをマルチキャリア変調方式により変調したマルチキャリア信号を用いて搬送されるデータの送受信を行う通信方法であって、前記入力データがシリアル／パラレル変換された変換データを、後述するＩＦＦＴポイント数制御ステップにより決定された最大のＩＦＦＴポイント数に合わせて保持した後、後述するＩＦＦＴポイント数制御部によりＩＦＦＴポイント数が改めて決定された場合には、当該ＩＦＦＴポイント数に合わせて変換データを保持するデータ保持ステップと、前記データ保持ステップにより保持されている変換データを、後述するＩＦＦＴポイント数制御ステップにより決定された最大のＩＦＦＴポイント数に従ってＩＦＦＴ処理してマルチキャリア信号を生成した後、後述するＩＦＦＴポイント数制御ステップによりＩＦＦＴポイント数が改めて決定された場合には、当該ＩＦＦＴポイント数に従ってＩＦＦＴ処理してマルチキャリア信号を生成するＩＦＦＴ処理ステップと、前記ＩＦＦＴ処理ステップによりマルチキャリア信号が生成されるごとに、当該マルチキャリア信号のＰＡＰＲ値を測定するＰＡＰＲ測定ステップと、前記ＰＡＰＲ測定ステップによりＰＡＰＲ値が測定されるごとに、当該ＰＡＰＲ値が所定の閾値を超えているか否かを判定する閾値判定ステップと、前記閾値判定ステップによりＰＡＰＲ値が所定の閾値を超えていないものと判定された場合には、マルチキャリア信号をパラレル／シリアル変換した変換データを送信データとして無線区間に送信して送信処理を終了する送信処理ステップと、入力データに対する最初の送信処理時には、事前に記憶された設定可能な最大のＩＦＦＴポイント数をＩＦＦＴポイント数として決定し、前記閾値判定ステップによりＰＡＰＲ値が所定の閾値を超えているものと判定された以降の送信処理時には、当該ＰＡＰＲ値が所定の閾値を超えなくなるＩＦＦＴポイント数を、事前に記憶された設定可能なＩＦＦＴポイント数の中から改めて決定するＩＦＦＴポイント数制御ステップと、他の通信装置からの受信データがシリアル／パラレル変換された変換データをＦＦＴ処理してマルチキャリア信号を復調するＦＦＴ処理ステップと、前記ＦＦＴ処理ステップにより復調されたマルチキャリア信号を解析して得られるマルチキャリア信号の電力値から、当該マルチキャリア信号内の有効なサブキャリア数を判定する有効キャリア数判定ステップと、前記有効キャリア数判定ステップにより判定された有効サブキャリア数分だけ、前記マルチキャリア信号を処理して受信処理を終了する受信データ処理ステップと、を含んでいる。
【００１２】
また、開示のプログラムは、入力データをマルチキャリア変調方式により変調したマルチキャリア信号を用いて搬送されるデータの送受信をコンピュータに実行させる通信プログラムであって、前記入力データがシリアル／パラレル変換された変換データを、後述するＩＦＦＴポイント数制御手順により決定された最大のＩＦＦＴポイント数に合わせて保持した後、後述するＩＦＦＴポイント数制御部によりＩＦＦＴポイント数が改めて決定された場合には、当該ＩＦＦＴポイント数に合わせて変換データを保持するデータ保持手順と、前記データ保持手順により保持されている変換データを、後述するＩＦＦＴポイント数制御手順により決定された最大のＩＦＦＴポイント数に従ってＩＦＦＴ処理してマルチキャリア信号を生成した後、後述するＩＦＦＴポイント数制御手順によりＩＦＦＴポイント数が改めて決定された場合には、当該ＩＦＦＴポイント数に従ってＩＦＦＴ処理してマルチキャリア信号を生成するＩＦＦＴ処理手順と、前記ＩＦＦＴ処理手順によりマルチキャリア信号が生成されるごとに、当該マルチキャリア信号のＰＡＰＲ値を測定するＰＡＰＲ測定手順と、前記ＰＡＰＲ測定手順によりＰＡＰＲ値が測定されるごとに、当該ＰＡＰＲ値が所定の閾値を超えているか否かを判定する閾値判定手順と、前記閾値判定手順によりＰＡＰＲ値が所定の閾値を超えていないものと判定された場合には、マルチキャリア信号をパラレル／シリアル変換した変換データを送信データとして無線区間に送信して送信処理を終了する送信処理手順と、入力データに対する最初の送信処理時には、事前に記憶された設定可能な最大のＩＦＦＴポイント数をＩＦＦＴポイント数として決定し、前記閾値判定手順によりＰＡＰＲ値が所定の閾値を超えているものと判定された以降の送信処理時には、当該ＰＡＰＲ値が所定の閾値を超えなくなるＩＦＦＴポイント数を、事前に記憶された設定可能なＩＦＦＴポイント数の中から改めて決定するＩＦＦＴポイント数制御手順と、他の通信装置からの受信データがシリアル／パラレル変換された変換データをＦＦＴ処理してマルチキャリア信号を復調するＦＦＴ処理手順と、前記ＦＦＴ処理手順により復調されたマルチキャリア信号を解析して得られるマルチキャリア信号の電力値から、当該マルチキャリア信号内の有効なサブキャリア数を判定する有効キャリア数判定手順と、前記有効キャリア数判定手順により判定された有効サブキャリア数分だけ、前記マルチキャリア信号を処理して受信処理を終了する受信データ処理手順と、をコンピュータに実行させる。
【発明の効果】
【００１３】
開示の装置、開示の方法および開示のプログラムによれば、回路規模を大きくすることなくＰＡＰＲを簡易に抑圧することができ、通信品質を保つことができるという効果を奏する。
【発明を実施するための最良の形態】
【００１４】
以下に添付図面を参照して、通信装置、送信機、受信機、通信方法および通信プログラムを実施するための一実施の形態を詳細に説明する。
【実施例１】
【００１５】
実施例１に係る通信装置は、入力データをマルチキャリア変調方式により変調したマルチキャリア信号を用いて搬送されるデータの送受信を行うことを概要とする。そして、実施例１に係る通信装置は、データを搬送するためのマルチキャリア信号を調整するＩＦＦＴポイント数を動的に制御することにより、回路規模を大きくすることなくＰＡＰＲを簡易に抑圧することができ、通信品質を保つことができる。そこで、以下では、実施例１に係る通信装置の構成および処理を順に説明する。
【００１６】
［通信装置の構成（実施例１）］
図１は、実施例１に係る通信装置の構成を示すブロック図である。図２は、実施例１に係る送信機の構成を示すブロック図である。図３は、実施例１に係る受信機の構成を示すブロック図である。図４は、実施例１に係る電力スペクトルを示す図である。
【００１７】
図１に示すように、実施例１に係る通信装置は、データの送信処理を実行する送信機１００と、データの受信処理を実行する受信機２００とを有する。
【００１８】
そして、図２に示すように、実施例１に係る送信機１００は、ベースバンド処理部１０１と、Ｓ／Ｐ（Serial/Parallel）変換部１０２と、ＩＦＦＴ（Inverse Fast Fourier Transform：逆高速フーリエ変換）ポイント数制御部１０３と、バッファ部１０４と、ＩＦＦＴ部１０５と、ＰＡＰＲ（Peak to Average Power Ratio）測定部１０６と、閾値判定部１０７と、Ｐ／Ｓ（Parallel/Serial）変換部１０８と、無線送信処理部１０９とを有する。
【００１９】
ベースバンド処理部１０１は、送信データ（送信のために入力される入力データ）のベースバンド処理を行って、送信データをＳ／Ｐ変換部１０２に送出する。Ｓ／Ｐ変換部１０２は、ベースバンド処理部１０１から受け付けたシリアルな送信データをパラレルなデータに変換してバッファ部１０４に出力する。
【００２０】
ＩＦＦＴポイント数制御部１０３は、送信データを搬送するマルチキャリア信号の信号数（サブキャリア数）を制御するために用いるＩＦＦＴポイント数を決定する。
【００２１】
具体的に説明すると、ＩＦＦＴポイント数制御部１０３は、まず、送信処理前の初期状態（バッファ部１０４に保持されているデータについて送信処理開始時）である場合、事前に設定可能なものとして保持している複数のＩＦＦＴポイント数（例えば、「５１２」や「１０２４」、「２０４８」など）の中から、設定可能な最大のＩＦＦＴポイント数をＩＦＦＴポイント数として決定して、バッファ部１０４、ＩＦＦＴ部１０５、ＰＡＰＲ測定部１０６および閾値判定部１０７に通知する。
【００２２】
続いて、ＩＦＦＴポイント数制御部１０３は、後述する閾値判定部１０７からＰＡＰＲ値、およびＰＡＰＲ値が所定の閾値を超えている旨の通知を受け付けと、事前に設定可能なものとして保持している複数のＩＦＦＴポイント数（例えば、「５１２」や「１０２４」、「２０４８」など）の中から、ＰＡＰＲ値に基づいて、ＰＡＰＲ値が所定の閾値を超えないようなＩＦＦＴポイント数を改めて決定する。
【００２３】
具体的には、ＩＦＦＴポイント数制御部１０３は、閾値判定部１０７から受け付けたＰＡＰＲ値に応じて、ＩＦＦＴポイント数を一段階切り下げた値に決定したり、設定可能な最小のＩＦＦＴポイント数に決定したりして、ＰＡＰＲ値がいち早く閾値内に収まるように決定する。
【００２４】
なお、ＩＦＦＴポイント数制御部１０３は、ＰＡＰＲ値がいち早く閾値内に収まるように、ＩＦＦＴポイント数をどの程度引き下げれば良いかを判断する。例えば、ＰＡＰＲ値が高く、送信データを搬送するマルチキャリア信号中にピークが存在するような場合には、そのピークは複数のサブキャリアの相関により発生するものであることが予測される。
【００２５】
したがって、ピークに関係しているサブキャリアの周波数軸上での配置を予測する事は困難であっても、その配置がランダムであれば単純にサブキャリア数、つまりＩＦＦＴポイント数を半分にすれば、ピークのレベルが半分になる確率は高くなる。
【００２６】
マルチキャリア信号中にピークを発生させるサブキャリアの相関と、ＰＡＰＲ値との関係に基づいて、ＩＦＦＴポイント数制御部１０３は、後述する閾値判定部１０７から通知されるＰＡＰＲ値に基づいて、ＩＦＦＴポイント数を引き下げる割合を判断し、ＩＦＦＴポイント数を決定することができる。
【００２７】
なお、引き下げる割合はＩＦＦＴポイント数制御部１０３が演算処理により算出してもよいし、ＩＦＦＴポイント数制御部１０３がＰＡＰＲ値と引き下げ数とを対応付けた変換テーブルを内部に保持し、このテーブルから引き下げ数を取得するようにしても構わない。
【００２８】
このようにして、ＩＦＦＴポイント数制御部１０３は、後述する閾値判定部１０７においてＰＡＰＲ値が所定の閾値を超過していないと判定され、後述する無線送信処理部１０９から無線区間に送信データが送信されるまで、ＩＦＦＴポイント数を順次切り下げて決定し、ＩＦＦＴポイント数を決定するごとに、バッファ部１０４、ＩＦＦＴ部１０５、ＰＡＰＲ測定部１０６および閾値判定部１０７にＩＦＦＴポイント数を通知する。
【００２９】
一方、ＩＦＦＴポイント数制御部１０３は、後述する閾値判定部１０７においてＰＡＰＲ値が所定の閾値を超過していないと判定され、この閾値判定部１０７から送信完了通知（送信データをＰ／Ｓ変換部１０８に出力したことを示す通知）を受け付けると、後述するバッファ部１０４に保持されている後続のデータについて送信処理を開始するために、最大のＩＦＦＴポイント数をＩＦＦＴポイント数として改めて決定し、バッファ部１０４、ＩＦＦＴ部１０５、ＰＡＰＲ測定部１０６および閾値判定部１０７に通知する。
【００３０】
なお、ＩＦＦＴポイント数制御部１０３は、特許請求の範囲に記載の「ＩＦＦＴポイント数制御部」に対応する。
【００３１】
バッファ部１０４は、Ｓ／Ｐ変換部１０２によりパラレルに変換された送信データを、上述したＩＦＦＴポイント数制御部１０３から通知されたＩＦＦＴポイント数に合わせたサイズで保持する。
【００３２】
具体的には、バッファ部１０４は、後述する無線送信処理部１０９により送信データが無線区間へ送信されるまでの期間、後続のデータを保持できるだけの容量を持ったメモリを有するとともに、このメモリに格納されているデータの入出力を制御する制御部を有し、ＩＦＦＴポイント数制御部１０３から通知されたＩＦＦＴポイント数に応じて、電力が「０」の無効なサブキャリアをマルチキャリア信号に挿入した後、ＩＦＦＴ部１０５へ送信データ（送信データを搬送するマルチキャリア信号）を送出する。
【００３３】
なお、バッファ部１０４は、データの入出力を制御する制御部を有する場合に限られるものではなく、例えば、Ｓ／Ｐ変換部１０２によりパラレルに変換された送信データをメモリ機能だけを有するようにしてもよい。この場合、バッファ部１０４と後述するＩＦＦＴ部１０５との間に、バッファ部１０４からデータを読み込んでＩＦＦＴ部１０５へ送出する処理部を通信装置１００に設けておく。
【００３４】
また、バッファ部１０４は、後述する閾値判定部１０７から送信完了通知を受け付けると、ＩＦＦＴポイント数制御部１０３から通知された最大のＩＦＦＴポイント数に合わせたサイズで、保持している送信データを開放する。
【００３５】
なお、バッファ部１０４は、特許請求の範囲に記載の「データ保持部」に対応する。
【００３６】
ＩＦＦＴ部１０５は、バッファ部１０４から送出された送信データをＩＦＦＴ処理する。具体的には、ＩＦＦＴ部１０５は、複数のＩＦＦＴポイント数（例えば、「５１２」や「１０２４」、「２０４８」など）に対応しており、ＩＦＦＴポイント数制御部１０３から通知されたＩＦＦＴポイント数に切り替え、バッファ部０４１から送出された送信データをＩＦＦＴ処理する。そして、ＩＦＦＴ部１０５は、ＩＦＦＴ処理した送信データをＰＡＰＲ測定部１０６に送出する。
【００３７】
なお、ＩＦＦＴ部１０５は、特許請求の範囲に記載の「ＩＦＦＴ処理部」に対応する。
【００３８】
ＰＡＰＲ測定部１０６は、ＩＦＦＴ処理された送信データをＩＦＦＴ部１０５から受け付けると、ＩＦＦＴポイント数制御部１０３から通知されたＩＦＦＴポイント数が最小値であるか否かを判定して、その判定結果に応じてＰＡＰＲ値（ピーク対平均電力値）を測定する。
【００３９】
具体的には、ＰＡＰＲ測定部１０６は、ＩＦＦＴポイント数制御部１０３から通知されたＩＦＦＴポイント数が最小値ではない場合には、ＩＦＦＴ部１０５によりＩＦＦＴ処理された送信データのＰＡＰＲ値を測定して、測定結果および送信データを閾値判定部１０７に送出する。
【００４０】
これとは反対に、ＰＡＰＲ測定部１０６は、ＩＦＦＴポイント数制御部１０３から通知されたＩＦＦＴポイント数が最小値である場合には、ＩＦＦＴ部１０５によりＩＦＦＴ処理された送信データのＰＡＰＲ値を測定せず、送信データをそのまま閾値判定部１０７に送出する。
【００４１】
なお、ＰＡＰＲ測定部１０６は、特許請求の範囲に記載の「ＰＡＰＲ測定部」に対応する。
【００４２】
閾値判定部１０７は、ＰＡＰＲ測定部１０６からＰＡＰＲ値および送信データを受け付けると、ＩＦＦＴポイント数制御部１０３から通知されていたＩＦＦＴポイント数が最小値であるか否かを判定して、その判定結果に応じて、ＰＡＰＲ値が閾値を超えているか否かを判定する。
【００４３】
具体的には、閾値判定部１０７は、ＩＦＦＴポイント数制御部１０３から通知されたＩＦＦＴポイント数が最小値ではない場合には、ＰＡＰＲ測定部１０６から受け付けたＰＡＰＲ値が予め設定されている閾値を超えているか否かを判定し、閾値を超えている場合には、このＰＡＰＲ値と閾値を超えている旨の通知をＩＦＦＴポイント数制御部１０３に送出する。
【００４４】
これとは反対に、閾値判定部１０７は、ＰＡＰＲ値が閾値を超えていない場合には、送信データを後述するＰ／Ｓ変換部１０８に送出して、ＩＦＦＴポイント数制御部１０３およびバッファ部１０４に送信完了通知を送出する。
【００４５】
また、閾値判定部１０７は、ＰＡＰＲ測定部１０６から受け付けたＰＡＰＲ値が閾値を超えているか否かを判定する前に、ＩＦＦＴポイント数制御部１０３から通知されていたＩＦＦＴポイント数が最小値である場合には、同じくＰＡＰＲ測定部１０６から受け付けていた送信データをＰ／Ｓ変換部１０８に送出して、ＩＦＦＴポイント数制御部１０３およびバッファ部１０４に送信完了通知を送出する。
【００４６】
なお、閾値判定部１０７は、特許請求の範囲に記載の「閾値判定部」に対応する。
【００４７】
Ｐ／Ｓ変換部１０８は、閾値判定部１０７から受け付けたパラレルな送信データをシリアルなデータに変換して、無線通信処理部１０９に送出する。無線通信処理部１０９は、Ｐ／Ｓ変換部１０８から受け付けた送信データを無線により送信する。
【００４８】
続いて、図３に示すように、実施例１に係る受信機２００は、無線受信処理部２０１と、Ｓ／Ｐ変換部２０２と、ＦＦＴ（Fast Fourier Transform：高速フーリエ変換）部２０３と、ＦＦＴポイント数監視部２０４と、Ｐ／Ｓ変換部２０５と、ベースバンド処理部２０６とを有する。
【００４９】
無線受信処理部２０１は、他の通信装置から送信されたデータを受信処理して、Ｓ／Ｐ変換部２０２に送出する。Ｓ／Ｐ変換部２０２は、無線受信処理部２０１から受け付けたシリアルなデータを、最大ＦＦＴポイント数でパラレルなデータに変換してＦＦＴ部２０３に送出する。
【００５０】
ＦＦＴ部２０３は、Ｓ／Ｐ変換部２０２から受け付けたデータをＦＦＴ処理する。具体的には、ＦＦＴ部２０３は、Ｓ／Ｐ変換部２０２から送出されたデータについて、最大ＦＦＴポイント数によるＦＦＴ処理を実行し、ＦＦＴポイント数監視部２０４に送出する。
【００５１】
ＦＦＴポイント数監視部２０４は、ＦＦＴ部２０３から受け付けたデータの電力値から、このデータを搬送するマルチキャリア信号内で有効なサブキャリア数（無線受信処理部２０１により受信処理されたデータが、他の通信装置の送信機から送信された時のＩＦＦＴポイント数）を判定する。
【００５２】
例えば、図４の（ａ）に、ＩＦＦＴポイント数「Ｎ」でＩＦＦＴ処理を行った場合の電力スペクトルと、図５の（ｂ）に、ＩＦＦＴポイント数「Ｎ／２」でＩＦＦＴ処理を行った場合の電力スペクトルを示す。図４に示す（ａ）に対して、図５に示す（ｂ）の周波数帯域幅、つまり有効なサブキャリアは１／２となっており、データの送信元である通信装置の送信機の送信電力が一定であれば有効なサブキャリアの電力は２倍となる。
【００５３】
したがって、ＦＦＴポイント数監視部２０４は、ＩＦＦＴポイント数「Ｎ」でＩＦＦＴ処理を行った場合の電力スペクトルを所持していれば、ＦＦＴ部２０３から送出されたデータの電力値から有効サブキャリア数（無線受信処理部２０１により受信処理されたデータが、他の通信装置の送信機から送信された時のＩＦＦＴポイント数）を判定することができる。また、パイロットサブキャリアを使用する等、別の方法で有効サブキャリア数を判定することもできる。
【００５４】
ＦＦＴポイント数監視部２０４は、ＦＦＴ部２０３から受け付けたデータと、有効サブキャリア数を示すＦＦＴポイント数をＰ／Ｓ変換部２０５に送出する。
【００５５】
ＦＦＴポイント数監視部２０４は、特許請求の範囲に記載の「有効キャリア数判定部」に対応する。
【００５６】
Ｐ／Ｓ変換部２０５は、ＦＦＴポイント数監視部２０４から受け付けたＦＦＴポイント数を参照して、おなじくＦＦＴポイント数監視部２０４から受け付けたシリアルなデータの中から、有効サブキャリアのデータのみをパラレルなデータに変換して、ベースバンド処理部２０６に送出する。
【００５７】
なお、Ｐ／Ｓ変換部２０５は、特許請求の範囲に記載の「受信データ処理部」に対応する。
【００５８】
ベースバンド処理部２０６は、Ｐ／Ｓ変換部２０５をベースバンド処理する。
【００５９】
なお、上述してきた送信機１００および受信機２００の各処理部は、シンボル単位（所定のデータの処理単位）で処理を実行するようにしてもよい。また、実施例１に係る通信装置は、例えば、ＯＦＤＭ方式を用いた無線通信を実行するために必要な機能を有しているものとする。
【００６０】
［通信装置の処理（実施例１）］
図６〜図１３は、実施例１に係る送信処理の流れを示す図である。図６〜図１０は、実施例１に係る送信処理の流れを示す図である。図１１は、実施例１に係るＩＦＦＴポイント数決定処理の流れを示す図である。図１２は、実施例１に係る受信処理の流れを示す図である。図１３は、実施例１に係るＦＦＴポイント数監視処理の流れを示す図である。
【００６１】
［送信処理（実施例１）］
まず、図６を用いて、送信データのＰＡＰＲ値が閾値を超過せずに送信処理が行われた場合の送信処理の流れを説明する。同図に示すように、ＩＦＦＴポイント数制御部１０３は、送信処理前の初期状態において、予め保持する設定可能な最大のＩＦＦＴポイント数をバッファ部１０４、ＩＦＦＴ部１０５、ＰＡＰＲ測定部１０６および閾値判定部１０７に通知する（ステップＳ５０１およびＳ５０２）。
【００６２】
そして、ベースバンド処理部１０１は、送信データのベースバンド処理を行い（ステップＳ５０３）、送信データをＳ／Ｐ変換部１０２に送出する（ステップＳ５０４）。
【００６３】
Ｓ／Ｐ変換部１０２は、ベースバンド処理部１０１から受け付けたシリアルな送信データをパラレルなデータに変換して（ステップＳ５０５）、バッファ部１０４に送出する（ステップＳ５０６）。
【００６４】
バッファ部１０４は、Ｓ／Ｐ変換部１０２から受け付けた送信データを保持するとともに（ステップＳ５０７）、ＩＦＦＴポイント数制御部１０３から通知されたＩＦＦＴポイント数に応じて、電力が「０」の無効なサブキャリアをマルチキャリア信号に挿入した後、ＩＦＦＴ部１０５へ送信データ（送信データを搬送するマルチキャリア信号）を送出する（ステップＳ５０８）。
【００６５】
ＩＦＦＴ部１０５は、ＩＦＦＴポイント数制御部１０３から通知されたＩＦＦＴポイント数に切り替え、バッファ部１０４から送出された送信データをＩＦＦＴ処理する（ステップＳ５０９）。そして、ＩＦＦＴ部１０５は、ＩＦＦＴ処理した送信データをＰＡＰＲ測定部１０６に送出する（ステップＳ５１０）。
【００６６】
ＰＡＰＲ測定部１０６は、ＩＦＦＴ処理された送信データをＩＦＦＴ部１０５から受け付けると、ＩＦＦＴポイント数制御部１０３から通知されたＩＦＦＴポイント数が最小値であるか否かを判定する（ステップＳ５１１）。
【００６７】
図６に示す送信処理の流れでは、ＩＦＦＴポイント数制御部１０３から通知されたＩＦＦＴポイント数は最大値であり、最小値ではないので（ステップＳ５１１：Ｎｏ）、ＰＡＰＲ測定部１０６は、ＩＦＦＴ部１０５によりＩＦＦＴ処理された送信データのＰＡＰＲ値を測定して（ステップＳ５１２）、測定結果であるＰＡＰＲ値および送信データを閾値判定部１０７に送出する（ステップＳ５１３）。
【００６８】
一方、仮に、ＩＦＦＴポイント数制御部１０３から通知されたＩＦＦＴポイント数が最小値であった場合には（ステップＳ５１１：ＹＥＳ）、ＰＡＰＲ測定部１０６は、ＩＦＦＴ部１０５によりＩＦＦＴ処理された送信データのＰＡＰＲ値を測定せず、送信データをそのまま閾値判定部１０７に送出する（ステップＳ５１４）。
【００６９】
閾値判定部１０７は、ＰＡＰＲ測定部１０６からＰＡＰＲ値および送信データを受け付けると、ＩＦＦＴポイント数制御部１０３から通知されていたＩＦＦＴポイント数が最小値であるか否かを判定する（ステップＳ５１５）。
【００７０】
判定の結果、ＩＦＦＴポイント数制御部１０３から通知されたＩＦＦＴポイント数が最小値ではない場合には（ステップＳ５１５：Ｎｏ）、閾値判定部１０７は、ＰＡＰＲ測定部１０６から受け付けたＰＡＰＲ値が予め設定されている閾値を超えているか否かを判定する（ステップＳ５１６）。
【００７１】
そして、閾値判定部１０７は、ＰＡＰＲ測定部１０６から受け付けたＰＡＰＲ値が閾値を超えていない場合には（ステップＳ５１６：Ｎｏ）、送信データをＰ／Ｓ変換部１０８に送出して（ステップＳ５１７）、ＩＦＦＴポイント数制御部１０３およびバッファ部１０４に送信完了通知を送出する（ステップＳ５１８）。
【００７２】
また、ステップＳ５１５の説明に戻ると、閾値判定部１０７は、ＩＦＦＴポイント数制御部１０３から通知されたＩＦＦＴポイント数が最小値である場合には（ステップＳ５１５：ＹＥＳ）、ＰＡＰＲ測定部１０６から受け付けた送信データをそのままＰ／Ｓ変換部１０８に送出し（ステップＳ５１９）、図６には表れていないが、ＩＦＦＴポイント数制御部１０３およびバッファ部１０４に送信完了通知を送出する。この後、後述するステップＳ５２１〜ステップＳ５２６までの処理が実行される。
【００７３】
また、ステップＳ５１６の説明に戻ると、閾値判定部１０７は、ＰＡＰＲ測定部１０６から受け付けたＰＡＰＲ値が閾値を超えている場合には（ステップＳ５１６：ＹＥＳ）、このＰＡＰＲ値と閾値を超えている旨の通知（閾値超過通知）をＩＦＦＴポイント数制御部１０３に送出する（ステップＳ５２０）。この後のＩＦＦＴポイント数制御部１０３の処理は、後に詳述する。
【００７４】
Ｐ／Ｓ変換部１０８は、閾値判定部１０７から受け付けたパラレルな送信データをシリアルなデータに変換して（ステップＳ５２１）、無線通信処理部１０９に送出する（ステップＳ５２２）。無線通信処理部１０９は、Ｐ／Ｓ変換部１０８から受け付けた送信データを無線により送信する（ステップＳ５２３）。
【００７５】
また、バッファ部１０４は、閾値判定部１０７から送信完了通知を受け付けると、ＩＦＦＴポイント数制御部１０３から通知されたＩＦＦＴポイント数に応じて（同図においては最大ＩＦＦＴポイント数分）、保持している送信データを開放する（ステップＳ５２４）。
【００７６】
また、ＩＦＦＴポイント数制御部１０３は、閾値判定部１０７から送信完了通知（送信データの完了を示す通知）を受け付けると、設定可能な最大のＩＦＦＴポイント数をバッファ部１０４、ＩＦＦＴ部１０５、ＰＡＰＲ測定部１０６および閾値判定部１０７に再度通知する（ステップＳ５２５およびＳ５２６）。
【００７７】
次に、図７および図８を用いて、送信データのＰＡＰＲ値が閾値を超過した場合の送信処理の流れを説明する。図７に示すステップＳ６０１〜Ｓ６１７は、上述した図６に示すステップＳ５０１〜Ｓ５１７と同様であり、ステップＳ６２３〜ステップＳ６４０は、上述した図６に示すステップＳ５０９〜ステップＳ５２６と同様であるが、以下に説明する点が異なる。
【００７８】
すなわち、ＩＦＦＴポイント数制御部１０３は、閾値判定部１０７からＰＡＰＲ値、およびＰＡＰＲ値が閾値を超えている旨の通知（閾値超過通知）を受け付けると、このＰＡＰＲ値に基づいて、ＰＡＰＲ値が所定の閾値に収まるように、例えば、事前に保持している設定可能なＩＦＦＴポイント数の中から、一段階引き下げたＩＦＦＴポイント数を新たなＩＦＦＴポイント数として改めて決定し（ステップＳ６２０）、バッファ部１０４、ＩＦＦＴ部１０５、ＰＡＰＲ測定部１０６および閾値判定部１０７に通知する（ステップＳ６２１）。
【００７９】
バッファ部１０４は、ＩＦＦＴポイント数制御部１０３から通知されたＩＦＦＴポイント数に応じて、電力が「０」の無効なサブキャリアをマルチキャリア信号に挿入した後、ＩＦＦＴ部１０５へ送信データを送出する（ステップＳ６２２）。
【００８０】
それ以降、ステップＳ６２３〜ステップＳ６４０まで、上述した図６に示すステップＳ５０９〜ステップＳ５２５と同様の処理が行われる。すなわち、閾値判定部１０７においてＰＡＰＲ値が閾値を超過していないと判定されるまで、ＩＦＦＴポイント数制御部１０３において新たにＩＦＦＴポイント数が決定されて、バッファ部１０４、ＩＦＦＴ部１０５、ＰＡＰＲ測定部１０６、閾値判定部１０７に通知され、バッファ部１０４、ＩＦＦＴ部１０５、ＰＡＰＲ測定部１０６、そして閾値判定部１０７にまで至る処理が繰り返し実行される。
【００８１】
なお、図６に示すステップＳ５１９と同様に、閾値判定部１０７は、仮に、ＩＦＦＴポイント数制御部１０３から通知されたＩＦＦＴポイント数が最小値であった場合には（ステップＳ６１５：ＹＥＳ）、ＰＡＰＲ測定部１０６から受け付けた送信データをそのままＰ／Ｓ変換部１０８に送出し（ステップＳ６１９）、図には表れていないが、ＩＦＦＴポイント数制御部１０３およびバッファ部１０４に送信完了通知を送出する。
【００８２】
また、図６に示すステップＳ５２０と同様に、閾値判定部１０７は、ＰＡＰＲ測定部１０６から受け付けたＰＡＰＲ値が閾値を超えている場合には（ステップＳ６１６：ＹＥＳ）、ＰＡＰＲ測定部１０６から受け付けた送信データを破棄して、ＩＦＦＴポイント数制御部１０３に閾値超過通知およびＰＡＰＲ値を送出する。
【００８３】
続いて、図９および図１０を用いて、ＩＦＦＴポイント数制御部１０３において設定可能な最小のＩＦＦＴポイント数が決定された場合の送信処理の流れを説明する。ステップＳ７０１〜ステップＳ７１７は、上述した図６に示すステップＳ５０１〜Ｓ５１７と同様であり、ステップＳ７２８〜ステップＳ７３３は、上述した図６に示すステップＳ５２１〜ステップＳ５２６と同様であるが、以下に説明する点が異なる。
【００８４】
すなわち、ＩＦＦＴポイント数制御部１０３は、閾値判定部１０７からＰＡＰＲ値、およびＰＡＰＲ値が閾値を超えている旨の通知（閾値超過通知）を受け付けると、設定可能な最小のＩＦＦＴポイント数を決定し（ステップＳ７２０）、バッファ部１０４、ＩＦＦＴ部１０５、ＰＡＰＲ測定部１０６および閾値判定部１０７に通知する（ステップＳ７２１）。
【００８５】
バッファ部１０４は、ＩＦＦＴポイント数制御部１０３から通知された最小のＩＦＦＴポイント数に応じて、電力が「０」の無効なサブキャリアをマルチキャリア信号に挿入した後、ＩＦＦＴ部１０５へ送信データを送出する（ステップＳ７２２）。
【００８６】
ＩＦＦＴ部１０５は、ＩＦＦＴポイント数制御部１０３から通知された最小のＩＦＦＴポイント数に切り替え、バッファ部１０４から送出された送信データをＩＦＦＴ処理する（ステップＳ７２３）。そして、ＩＦＦＴ部１０５は、ＩＦＦＴ処理した送信データをＰＡＰＲ測定部１０６に送出する（ステップＳ７２４）。
【００８７】
ＰＡＰＲ測定部１０６は、ＩＦＦＴ処理された送信データをＩＦＦＴ部１０５から受け付けると、ＩＦＦＴポイント数制御部１０３から通知されたＩＦＦＴポイント数が最小値であるので、ＩＦＦＴ部１０５から受け付けた送信データをそのまま閾値判定部１０７に送出する（ステップＳ７２５）。
【００８８】
閾値判定部１０７は、ＰＡＰＲ測定部１０６からＰＡＰＲ値および送信データを受け付けると、ＩＦＦＴポイント数制御部１０３から通知されていたＩＦＦＴポイント数が最小値であるので、ＰＡＰＲ測定部１０６から受け付けた送信データをそのままそのままＰ／Ｓ変換部１０８に送出して（ステップＳ７２６）、ＩＦＦＴポイント数制御部１０３およびバッファ部１０４に送信完了通知を送出する（ステップＳ７２７）。
【００８９】
この後、ステップＳ７２８〜ステップＳ７３３では、上述した図６に示すステップＳ５２１〜ステップＳ５２６と同様が行われる。
【００９０】
［ＩＦＦＴポイント数決定処理（実施例１）］
図１１を用いて、実施例１に係るＩＦＦＴポイント決定処理の流れを説明する。同図に示すように、ＩＦＦＴポイント数制御部１０３は、閾値判定部１０７から通知を受け付けると（ステップＳ８０１：ＹＥＳ）、その通知が送信完了通知であるか否かを確認する（ステップＳ８０２）。
【００９１】
確認の結果、ＩＦＦＴポイント数制御部１０３は、閾値判定部１０７から受け付けた通知が送信完了通知である場合には（ステップＳ８０２：ＹＥＳ）、バッファ部１０４、ＩＦＦＴ部１０５、ＰＡＰＲ測定部１０６および閾値判定部１０７に現時点で通知していたＩＦＦＴポイント数が最大値であるか否かを確認する（ステップＳ８０３）。
【００９２】
確認の結果、ＩＦＦＴポイント数制御部１０３は、バッファ部１０４、ＩＦＦＴ部１０５、ＰＡＰＲ測定部１０６および閾値判定部１０７に現時点で通知していたＩＦＦＴポイント数が最大値である場合には（ステップＳ８０３：ＹＥＳ）、そのまま新たな閾値判定部１０７からの通知を待機する。
【００９３】
一方、確認の結果、ＩＦＦＴポイント数制御部１０３は、バッファ部１０４、ＩＦＦＴ部１０５、ＰＡＰＲ測定部１０６および閾値判定部１０７に現時点で通知していたＩＦＦＴポイント数が最大値ではない場合には（ステップＳ８０３：Ｎｏ）、バッファ部１０４、ＩＦＦＴ部１０５、ＰＡＰＲ測定部１０６および閾値判定部１０７に最大のＩＦＦＴポイント数を再び通知する（ステップＳ８０５）。
【００９４】
ここで、ステップＳ８０２の説明に戻ると、ＩＦＦＴポイント数制御部１０３は、閾値判定部１０７から受け付けた通知が送信完了通知ではない場合（すなわち、閾値超過通知である場合）には（ステップＳ８０２：ＹＥＳ）、ＰＡＰＲ測定部１０６から受け付けていたＰＡＰＲ値に基づいて、ＩＦＦＴポイント数を決定する（ステップＳ８０４）。
【００９５】
そして、ＩＦＦＴポイント数制御部１０３は、バッファ部１０４、ＩＦＦＴ部１０５、ＰＡＰＲ測定部１０６および閾値判定部１０７に新たなＩＦＦＴポイント数を通知する（ステップＳ８０６）。
【００９６】
すなわち、ＩＦＦＴポイント数制御部１０３は、閾値判定部１０７からＰＡＰＲ値、ＰＡＰＲ値が閾値を超えている旨の通知（閾値超過通知）を受け付けるたびに、このＰＡＰＲ値に基づいてＩＦＦＴポイント数を決定し、バッファ部１０４、ＩＦＦＴ部１０５、ＰＡＰＲ測定部１０６および閾値判定部１０７に通知する。
【００９７】
［受信処理（実施例１）］
図１２を実施例１に係る受信処理の流れを説明する。同図に示すように、無線受信処理部２０１は、受信データに対し、無線区間のデータの受信処理を行い（ステップＳ９０１）、Ｓ／Ｐ変換部２０２にデータを送出する（ステップＳ９０２）。
【００９８】
Ｓ／Ｐ変換部２０２は、無線受信処理部２０１から受け付けたシリアルなデータを、最大ＦＦＴポイント数でパラレルなデータに変換して（ステップＳ９０３）、ＦＦＴ部２０３に送出する（ステップＳ９０４）。
【００９９】
ＦＦＴ部２０３は、Ｓ／Ｐ変換部２０２から受け付けたデータについて、最大ＦＦＴポイント数によるＦＦＴ処理を実行し（ステップＳ９０５）、ＦＦＴポイント数監視部２０４に送出する（ステップＳ９０６）。
【０１００】
ＦＦＴポイント数監視部２０４は、ＦＦＴ部２０３から受け付けたデータの電力値から、このデータを搬送するマルチキャリア信号内で有効なサブキャリア数（無線受信処理部２０１により受信処理されたデータが、他の通信装置の送信機から送信された時のＩＦＦＴポイント数に相当）を判定する（ステップＳ９０７）。
【０１０１】
そして、ＦＦＴポイント数監視部２０４は、ＦＦＴ部２０３から受け付けたデータと、有効サブキャリア数を示すＦＦＴポイント数をＰ／Ｓ変換部２０５に送出する（ステップＳ９０８）。
【０１０２】
Ｐ／Ｓ変換部２０５は、ＦＦＴポイント数監視部２０４から受け付けたＦＦＴポイント数を参照して、おなじくＦＦＴポイント数監視部２０４から受け付けたシリアルなデータの中から、有効サブキャリアのデータのみをパラレルなデータに変換して（ステップＳ９０９）、ベースバンド処理部２０６に送出する（ステップＳ９１０）。
【０１０３】
ベースバンド処理部２０６は、Ｐ／Ｓ変換部２０５をベースバンド処理する（ステップＳ９１１）。
【０１０４】
図１２に示すステップＳ９０１〜ステップＳ９１１までの処理と、同図に示すステップＳ９１２〜ステップＳ９２２までの処理は同様であり、シンボルごと（例えば、受信データシンボル１および受信データシンボル２）に受信処理を実行する。なお、シンボルごとに受信処理を実行する場合に限られるものではなく、フレーム単位で受信処理を実行するなど、受信処理の単位は適宜変更することができる。
【０１０５】
［ＦＦＴポイント数監視処理（実施例１）］
図１３を用いて、実施例１に係るＦＦＴポイント数監視処理の流れを説明する。同図に示すように、ＦＦＴポイント数監視部２０４は、ＦＦＴ部２０３から受信データを受け付けると（ステップＳ１００１：ＹＥＳ）、受け付けた受信データの電力値から、このデータを搬送するマルチキャリア信号内で有効なサブキャリア数（無線受信処理部２０１により受信処理されたデータが、他の通信装置の送信機から送信された時のＩＦＦＴポイント数に相当）を判定する（ステップＳ１００２）。
【０１０６】
ＦＦＴポイント数監視部２０４は、有効サブキャリア数を示すＦＦＴポイント数をＰ／Ｓ変換部２０５に送出するとともに（ステップＳ１００３）、ＦＦＴ部２０３から受け付けた受信データをＰ／Ｓ変換部２０５に送出する（ステップＳ１００４）。
【０１０７】
［実施例１による効果］
上述してきたように、実施例１によれば、ＩＦＦＴポイント数制御部１０３は、閾値判定部１０７においてＰＡＰＲ値が閾値を超過していないと判定されるまで、ＩＦＦＴポイント数の決定および通知を繰り返し実行するので、従来から通信装置が有する機能を活かして、回路規模を大きくすることなくＰＡＰＲを簡易に抑圧することができ、通信品質を保つことができるという効果を奏する。
【０１０８】
また、実施例１によれば、通信品質の劣化によりスループットの低下を抑制することができるという効果を奏する。
【実施例２】
【０１０９】
上述してきた開示の通信装置は、上述した実施例以外にも種々の異なる形態にて実施されてよいものである。そこで、以下では、他の実施形態について説明する。
【０１１０】
（１）装置構成等
図２に示した通信装置の各構成要素は機能概念的なものであり、必ずしも物理的に図示の如く構成されていることを要しない。例えば、送信機１００のみを有する通信装置や、受信機２００のみを有する通信装置を採用するようにしてもよい。
【０１１１】
また、通信装置の各構成要素（送信機１００または受信機２００）にて行なわれる各処理機能（図６から図１３等参照）は、その全部または任意の一部が、ＣＰＵおよび当該ＣＰＵにて解析実行されるプログラムにて実現され、あるいは、ワイヤードロジックによるハードウェアとして実現され得る。
【０１１２】
例えば、上記実施例１で説明した各種の処理（図６から図１３等参照）は、あらかじめ用意されたプログラムを通信装置（コンピュータ）に備えられたＣＰＵ（Central Processing Unit）などの処理装置で実行することによって実現することができる。
【０１１３】
図２に示す場合では、ＩＦＦＴポイント数制御部１０３、バッファ部１０４、ＩＦＦＴ部１０５、ＰＡＰＲ測定部１０６および閾値判定部１０７による各種の処理を実現する各種のプログラムがＲＡＭやＲＯＭなどの記憶媒体に記録されており、ＣＰＵがＲＡＭやＲＯＭなどの記憶媒体に記録された各種のプログラムを読み出して実行することにより、上記実施例１で説明した各種の処理（図６から図１３等参照）の機能を実現する各種プロセスが起動される。
【０１１４】
ところで、各種プログラムは、必ずしも最初からＲＡＭやＲＯＭなどに記憶させておく必要はない。たとえば、コンピュータ（通信装置）に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータの内外に備えられるハードディスクドライブ（ＨＤＤ）などの「固定用の物理媒体」、さらには、公衆回線、インターネット、ＬＡＮ、ＷＡＮなどを介してコンピュータに接続される「他のコンピュータ（またはサーバ）」などに各種プログラムを記憶しておき、コンピュータがこれらから各プログラムを読み出して実行するようにしてもよい。
【０１１５】
（２）通信方法
また、上記の実施例１において説明した通信装置により、以下のような通信方法が実現される。
【０１１６】
すなわち、入力データをマルチキャリア変調方式により変調したマルチキャリア信号を用いて搬送されるデータの送受信を行う通信方法であって、入力データがシリアル／パラレル変換された変換データを、後述するＩＦＦＴポイント数制御ステップにより決定された最大のＩＦＦＴポイント数に合わせて保持した後、後述するＩＦＦＴポイント数制御部によりＩＦＦＴポイント数が改めて決定された場合には、当該ＩＦＦＴポイント数に合わせて変換データを保持するデータ保持ステップと（例えば、図６のステップＳ５０７等参照）、データ保持ステップにより保持されている変換データを、後述するＩＦＦＴポイント数制御ステップにより決定された最大のＩＦＦＴポイント数に従ってＩＦＦＴ処理してマルチキャリア信号を生成した後、後述するＩＦＦＴポイント数制御ステップによりＩＦＦＴポイント数が改めて決定された場合には、当該ＩＦＦＴポイント数に従ってＩＦＦＴ処理してマルチキャリア信号を生成するＩＦＦＴ処理ステップと（例えば、図６のステップＳ５０９参照）、ＩＦＦＴ処理ステップによりマルチキャリア信号が生成されるごとに、当該マルチキャリア信号のＰＡＰＲ値を測定するＰＡＰＲ測定ステップと（例えば、図６のステップＳ５１２参照）、ＰＡＰＲ測定ステップによりＰＡＰＲ値が測定されるごとに、当該ＰＡＰＲ値が所定の閾値を超えているか否かを判定する閾値判定ステップと（例えば、図６のステップＳ５１６参照）、閾値判定ステップによりＰＡＰＲ値が所定の閾値を超えていないものと判定された場合には、マルチキャリア信号をパラレル／シリアル変換した変換データを送信データとして無線区間に送信して送信処理を終了する送信処理ステップと（例えば、図６のステップＳ５２１〜ステップＳ５２３参照）、入力データに対する送信処理開始時には、事前に記憶された設定可能な最大のＩＦＦＴポイント数をＩＦＦＴポイント数として決定し、閾値判定ステップによりＰＡＰＲ値が所定の閾値を超えているものと判定された以降の送信処理時には、当該ＰＡＰＲ値が所定の閾値を超えなくなるＩＦＦＴポイント数を、事前に記憶された設定可能なＩＦＦＴポイント数の中から改めて決定するＩＦＦＴポイント数制御ステップと（例えば、図６のステップＳ５０１、図８のステップＳ６２０参照）、他の通信装置からの受信データがシリアル／パラレル変換された変換データをＦＦＴ処理してマルチキャリア信号を復調するＦＦＴ処理ステップと（例えば、図１２のステップＳ９０６）、ＦＦＴ処理部により復調されたマルチキャリア信号を解析して得られるマルチキャリア信号の電力値から、マルチキャリア信号内の有効なサブキャリア数を判定する有効キャリア数判定ステップと（例えば、図１２のステップＳ９０７）、有効キャリア数判定ステップにより判定された有効サブキャリア数分だけ、マルチキャリア信号を処理して受信処理を終了する受信データ処理ステップと（例えば、図１２のステップＳ９０９〜ステップＳ９１１）、を含んだ通信方法を実現する。
【０１１７】
以上の実施例１および２を含む実施形態に関し、さらに以下の付記を開示する。
【０１１８】
（付記１）入力データをマルチキャリア変調方式により変調したマルチキャリア信号を用いて搬送されるデータの送受信を行う通信装置であって、
前記入力データがシリアル／パラレル変換された変換データを、後述するＩＦＦＴポイント数制御部により決定された最大のＩＦＦＴポイント数に合わせて保持した後、後述するＩＦＦＴポイント数制御部によりＩＦＦＴポイント数が改めて決定された場合には、当該ＩＦＦＴポイント数に合わせて変換データを保持するデータ保持部と、
前記データ保持部により保持されている変換データを、後述するＩＦＦＴポイント数制御部により決定された最大のＩＦＦＴポイント数に従ってＩＦＦＴ処理してマルチキャリア信号を生成した後、後述するＩＦＦＴポイント数制御部によりＩＦＦＴポイント数が改めて決定された場合には、当該ＩＦＦＴポイント数に従ってＩＦＦＴ処理してマルチキャリア信号を生成するＩＦＦＴ処理部と、
前記ＩＦＦＴ処理部によりマルチキャリア信号が生成されるごとに、当該マルチキャリア信号のＰＡＰＲ値を測定するＰＡＰＲ測定部と、
前記ＰＡＰＲ測定部によりＰＡＰＲ値が測定されるごとに、当該ＰＡＰＲ値が所定の閾値を超えているか否かを判定する閾値判定部と、
前記閾値判定部によりＰＡＰＲ値が所定の閾値を超えていないものと判定された場合には、マルチキャリア信号をパラレル／シリアル変換した変換データを送信データとして無線区間に送信して送信処理を終了する送信処理部と、
入力データに対する送信処理開始時には、事前に記憶された設定可能な最大のＩＦＦＴポイント数をＩＦＦＴポイント数として決定し、前記閾値判定部によりＰＡＰＲ値が所定の閾値を超えているものと判定された以降の送信処理時には、当該ＰＡＰＲ値が所定の閾値を超えなくなるＩＦＦＴポイント数を、事前に記憶された設定可能なＩＦＦＴポイント数の中から改めて決定するＩＦＦＴポイント数制御部と、
他の通信装置からの受信データがシリアル／パラレル変換された変換データをＦＦＴ処理してマルチキャリア信号を復調するＦＦＴ処理部と、
前記ＦＦＴ処理部により復調されたマルチキャリア信号を解析して得られるマルチキャリア信号の電力値から、当該マルチキャリア信号内の有効なサブキャリア数を判定する有効キャリア数判定部と、
前記有効キャリア数判定部により判定された有効サブキャリア数分だけ、前記マルチキャリア信号を処理して受信処理を終了する受信データ処理部と、
を有することを特徴とする通信装置。
【０１１９】
（付記２）前記データ保持部は、前記送信処理部により送信処理が行われる場合に、前記ＩＦＦＴポイント数制御部により決定された最大のＩＦＦＴポイント数に合わせて、保持していた送信データを開放することを特徴とする付記１に記載の通信装置。
【０１２０】
（付記３）前記ＰＡＰＲ測定部は、前記ＩＦＦＴポイント数制御部により改めて決定されたＩＦＦＴポイント数が設定可能な最小値であった場合には、前記ＩＦＦＴ処理部により生成されたマルチキャリア信号を前記閾値判定部にそのまま出力することを特徴とする付記１に記載の通信装置。
【０１２１】
（付記４）前記閾値判定部は、前記ＰＡＰＲ値測定部から入力したＰＡＰＲ値が所定の閾値を超えているものと判定した場合には、マルチキャリア信号を前記送信処理部に送出することなく破棄し、前記ＰＡＰＲ値が閾値を超えていないものと判定した場合だけでなく、前記ＩＦＦＴポイント数制御部により改めて決定されたＩＦＦＴポイント数が設定可能な最小値である場合には、マルチキャリア信号を前記送信処理部にそのまま出力し、
前記送信処理部は、前記閾値判定部から入力したマルチキャリア信号をパラレル／シリアル変換した変換データを送信データとして無線区間に送信して送信処理を終了することを特徴とする付記１に記載の通信装置。
【０１２２】
（付記５）前記ＩＦＦＴポイント数制御部は、前記送信処理部により送信処理が完了すると、前記データ保持部に保持されている後続の入力データの送信処理開始時に、事前に記憶された設定可能な最大のＩＦＦＴポイント数をＩＦＦＴポイント数として改めて決定することを特徴とする付記１に記載の通信装置。
【０１２３】
（付記６）入力データをマルチキャリア変調方式により変調したマルチキャリア信号を用いて搬送されるデータの送信を行う送信機であって、
前記入力データがシリアル／パラレル変換された変換データを、後述するＩＦＦＴポイント数制御部により決定された最大のＩＦＦＴポイント数に合わせて保持した後、後述するＩＦＦＴポイント数制御部によりＩＦＦＴポイント数が改めて決定された場合には、当該ＩＦＦＴポイント数に合わせて変換データを保持するデータ保持部と、
前記データ保持部により保持されている変換データを、後述するＩＦＦＴポイント数制御部により決定された最大のＩＦＦＴポイント数に従ってＩＦＦＴ処理してマルチキャリア信号を生成した後、後述するＩＦＦＴポイント数制御部によりＩＦＦＴポイント数が改めて決定された場合には、当該ＩＦＦＴポイント数に従ってＩＦＦＴ処理してマルチキャリア信号を生成するＩＦＦＴ処理部と、
前記ＩＦＦＴ処理部によりマルチキャリア信号が生成されるごとに、当該マルチキャリア信号のＰＡＰＲ値を測定するＰＡＰＲ測定部と、
前記ＰＡＰＲ測定部によりＰＡＰＲ値が測定されるごとに、当該ＰＡＰＲ値が所定の閾値を超えているか否かを判定する閾値判定部と、
前記閾値判定部によりＰＡＰＲ値が所定の閾値を超えていないものと判定された場合には、マルチキャリア信号をパラレル／シリアル変換した変換データを送信データとして無線区間に送信して送信処理を終了する送信処理部と、
入力データに対する最初の送信処理時には、事前に記憶された設定可能な最大のＩＦＦＴポイント数をＩＦＦＴポイント数として決定し、前記閾値判定部によりＰＡＰＲ値が所定の閾値を超えているものと判定された以降の送信処理時には、当該ＰＡＰＲ値が所定の閾値を超えなくなるＩＦＦＴポイント数を、事前に記憶された設定可能なＩＦＦＴポイント数の中から改めて決定するＩＦＦＴポイント数制御部と、
を有することを特徴とする送信機。
【０１２４】
（付記７）前記データ保持部は、前記送信処理部により送信処理が行われる場合に、前記ＩＦＦＴポイント数制御部により決定された最大のＩＦＦＴポイント数に合わせて、保持していた送信データを開放することを特徴とする付記６に記載の送信機。
【０１２５】
（付記８）前記ＰＡＰＲ測定部は、前記ＩＦＦＴポイント数制御部により改めて決定されたＩＦＦＴポイント数が設定可能な最小値であった場合には、前記ＩＦＦＴ処理部により生成されたマルチキャリア信号を前記閾値判定部にそのまま出力することを特徴とする付記６に記載の送信機。
【０１２６】
（付記９）前記閾値判定部は、前記ＰＡＰＲ値測定部から入力したＰＡＰＲ値が所定の閾値を超えているものと判定した場合には、マルチキャリア信号を前記送信処理部に送出することなく破棄し、前記ＰＡＰＲ値が閾値を超えていないものと判定した場合だけでなく、前記ＩＦＦＴポイント数制御部により改めて決定されたＩＦＦＴポイント数が設定可能な最小値である場合には、マルチキャリア信号を前記送信処理部にそのまま出力し、
前記送信処理部は、前記閾値判定部から入力したマルチキャリア信号をパラレル／シリアル変換した変換データを送信データとして無線区間に送信して送信処理を終了することを特徴とする付記６に記載の送信機。
【０１２７】
（付記１０）前記ＩＦＦＴポイント数制御部は、前記送信処理部により送信処理が完了すると、前記データ保持部に保持されている後続の入力データの送信処理開始時に、事前に記憶された設定可能な最大のＩＦＦＴポイント数をＩＦＦＴポイント数として改めて決定することを特徴とする付記６に記載の送信機。
【０１２８】
（付記１１）入力データをマルチキャリア変調方式により変調したマルチキャリア信号を用いて搬送されるデータの受信を行う受信機であって、
他の通信装置からの受信データがシリアル／パラレル変換された変換データをＦＦＴ処理してマルチキャリア信号を復調するＦＦＴ処理部と、
前記ＦＦＴ処理部により復調されたマルチキャリア信号を解析して得られるマルチキャリア信号の電力値から、マルチキャリア信号内の有効なサブキャリア数を判定する有効キャリア数判定部と、
前記有効キャリア数判定部により判定された有効サブキャリア数分だけ、マルチキャリア信号を処理して受信処理を終了する受信データ処理部と、
を有することを特徴とする受信機。
【０１２９】
（付記１２）入力データをマルチキャリア変調方式により変調したマルチキャリア信号を用いて搬送されるデータの送受信を行う通信方法であって、
前記入力データがシリアル／パラレル変換された変換データを、後述するＩＦＦＴポイント数制御ステップにより決定された最大のＩＦＦＴポイント数に合わせて保持した後、後述するＩＦＦＴポイント数制御部によりＩＦＦＴポイント数が改めて決定された場合には、当該ＩＦＦＴポイント数に合わせて変換データを保持するデータ保持ステップと、
前記データ保持ステップにより保持されている変換データを、後述するＩＦＦＴポイント数制御ステップにより決定された最大のＩＦＦＴポイント数に従ってＩＦＦＴ処理してマルチキャリア信号を生成した後、後述するＩＦＦＴポイント数制御ステップによりＩＦＦＴポイント数が改めて決定された場合には、当該ＩＦＦＴポイント数に従ってＩＦＦＴ処理してマルチキャリア信号を生成するＩＦＦＴ処理ステップと、
前記ＩＦＦＴ処理ステップによりマルチキャリア信号が生成されるごとに、当該マルチキャリア信号のＰＡＰＲ値を測定するＰＡＰＲ測定ステップと、
前記ＰＡＰＲ測定ステップによりＰＡＰＲ値が測定されるごとに、当該ＰＡＰＲ値が所定の閾値を超えているか否かを判定する閾値判定ステップと、
前記閾値判定ステップによりＰＡＰＲ値が所定の閾値を超えていないものと判定された場合には、マルチキャリア信号をパラレル／シリアル変換した変換データを送信データとして無線区間に送信して送信処理を終了する送信処理ステップと、
入力データに対する最初の送信処理時には、事前に記憶された設定可能な最大のＩＦＦＴポイント数をＩＦＦＴポイント数として決定し、前記閾値判定ステップによりＰＡＰＲ値が所定の閾値を超えているものと判定された以降の送信処理時には、当該ＰＡＰＲ値が所定の閾値を超えなくなるＩＦＦＴポイント数を、事前に記憶された設定可能なＩＦＦＴポイント数の中から改めて決定するＩＦＦＴポイント数制御ステップと、
他の通信装置からの受信データがシリアル／パラレル変換された変換データをＦＦＴ処理してマルチキャリア信号を復調するＦＦＴ処理ステップと、
前記ＦＦＴ処理ステップにより復調されたマルチキャリア信号の電力値から、当該マルチキャリア信号内の有効なサブキャリア数を判定する有効キャリア数判定ステップと、
前記有効キャリア数判定ステップにより判定された有効サブキャリア数分だけ、前記マルチキャリア信号を処理して受信処理を終了する受信データ処理ステップと、
を含んだことを特徴とする通信方法。
【０１３０】
（付記１３）入力データをマルチキャリア変調方式により変調したマルチキャリア信号を用いて搬送されるデータの送受信をコンピュータに実行させる通信プログラムであって、
前記入力データがシリアル／パラレル変換された変換データを、後述するＩＦＦＴポイント数制御手順により決定された最大のＩＦＦＴポイント数に合わせて保持した後、後述するＩＦＦＴポイント数制御部によりＩＦＦＴポイント数が改めて決定された場合には、当該ＩＦＦＴポイント数に合わせて変換データを保持するデータ保持手順と、
前記データ保持手順により保持されている変換データを、後述するＩＦＦＴポイント数制御手順により決定された最大のＩＦＦＴポイント数に従ってＩＦＦＴ処理してマルチキャリア信号を生成した後、後述するＩＦＦＴポイント数制御手順によりＩＦＦＴポイント数が改めて決定された場合には、当該ＩＦＦＴポイント数に従ってＩＦＦＴ処理してマルチキャリア信号を生成するＩＦＦＴ処理手順と、
前記ＩＦＦＴ処理手順によりマルチキャリア信号が生成されるごとに、当該マルチキャリア信号のＰＡＰＲ値を測定するＰＡＰＲ測定手順と、
前記ＰＡＰＲ測定手順によりＰＡＰＲ値が測定されるごとに、当該ＰＡＰＲ値が所定の閾値を超えているか否かを判定する閾値判定手順と、
前記閾値判定手順によりＰＡＰＲ値が所定の閾値を超えていないものと判定された場合には、マルチキャリア信号をパラレル／シリアル変換した変換データを送信データとして無線区間に送信して送信処理を終了する送信処理手順と、
入力データに対する最初の送信処理時には、事前に記憶された設定可能な最大のＩＦＦＴポイント数をＩＦＦＴポイント数として決定し、前記閾値判定手順によりＰＡＰＲ値が所定の閾値を超えているものと判定された以降の送信処理時には、当該ＰＡＰＲ値が所定の閾値を超えなくなるＩＦＦＴポイント数を、事前に記憶された設定可能なＩＦＦＴポイント数の中から改めて決定するＩＦＦＴポイント数制御手順と、
他の通信装置からの受信データがシリアル／パラレル変換された変換データをＦＦＴ処理してマルチキャリア信号を復調するＦＦＴ処理手順と、
前記ＦＦＴ処理手順により復調されたマルチキャリア信号の電力値から、当該マルチキャリア信号内の有効なサブキャリア数を判定する有効キャリア数判定手順と、
前記有効キャリア数判定手順により判定された有効サブキャリア数分だけ、前記マルチキャリア信号を処理して受信処理を終了する受信データ処理手順と、
をコンピュータに実行させることを特徴とする通信プログラム。
【図面の簡単な説明】
【０１３１】
【図１】実施例１に係る通信装置の構成を示すブロック図である。
【図２】実施例１に係る送信機の構成を示すブロック図である。
【図３】実施例１に係る受信機の構成を示すブロック図である。
【図４】実施例１に係る電力スペクトルを示す図である。
【図５】実施例１に係る電力スペクトルを示す図である。
【図６】実施例１に係る送信処理の流れを示す図である。
【図７】実施例１に係る送信処理の流れを示す図である。
【図８】実施例１に係る送信処理の流れを示す図である。
【図９】実施例１に係る送信処理の流れを示す図である。
【図１０】実施例１に係る送信処理の流れを示す図である。
【図１１】実施例１に係るＩＦＦＴポイント数決定処理の流れを示す図である。
【図１２】実施例１に係る受信処理の流れを示す図である。
【図１３】実施例１に係るＦＦＴポイント数監視処理の流れを示す図である。
【図１４】ＯＦＤＭ信号の電力スペクトルを示す図である。
【符号の説明】
【０１３２】
１００  送信機
１０１  ベースバンド処理部
１０２  Ｓ／Ｐ変換部
１０３  ＩＦＦＴポイント数制御部
１０４  バッファ部
１０５  ＩＦＦＴ部
１０６  ＰＡＰＲ測定部
１０７  閾値判定部
１０８  Ｐ／Ｓ変換部
１０９  無線送信処理部
２００  受信機
２０１  無線受信処理部
２０２  Ｓ／Ｐ変換部
２０３  ＦＦＴ部
２０４  ＦＦＴポイント数監視部
２０５  Ｐ／Ｓ変換部
２０６  ベースバンド処理部
【図１】
0005181773.tif 000002
【図２】
0005181773.tif 000003
【図３】
0005181773.tif 000004
【図４】
0005181773.tif 000005
【図５】
0005181773.tif 000006
【図６】
0005181773.tif 000007
【図７】
0005181773.tif 000008
【図８】
0005181773.tif 000009
【図９】
0005181773.tif 000010
【図１０】
0005181773.tif 000011
【図１１】
0005181773.tif 000012
【図１２】
0005181773.tif 000013
【図１３】
0005181773.tif 000014
【図１４】
0005181773.tif 000015